(57)【要約】【課題】使い易く、高級な眼鏡フレームの陳列に適した新しい陳列具を提供する。さらに、分解組立て式として、持ち運びが容易な陳列具を提供する。【解決手段】超音速機に似た形状の平板上のフレーム支持部材により、眼鏡フレームをブリッジ部又は鼻当てパッド部及びテンプル後部で支持し、陳列するようにした。また、フレーム支持部材は、これに着脱自在に係合する支柱部材により支えられ、支柱部材は、これに着脱自在に係合する台座部材により支えられる構造となっている。【選択図】図１
2011130804.tif 000002
【特許請求の範囲】
【請求項１】
眼鏡フレームを陳列する眼鏡フレームの陳列具であって、
前記眼鏡フレームをそのテンプルが左右に開かれた状態で下方から支持するフレーム支持部材を備え、
前記フレーム支持部材は、平板で形成されると共に、前記眼鏡フレームのブリッジ部又は鼻当てパッド部を支持するブリッジ支持部及び前記左右に開かれたテンプルをそれぞれ支持する一対のテンプル支持部を有しており、
前記ブリッジ支持部は前記一対のテンプル支持部の中間部から前方に突出した先細りの形状をしており、
前記一対のテンプル支持部は互いの中間部から後方に向かって末広がりの後端縁を有することを特徴とする眼鏡フレームの陳列具。
【請求項２】
請求項１記載の眼鏡フレームの陳列具であって、
前記フレーム支持部材と着脱自在に係合して前記フレーム支持部材を支える支柱部材と、
前記支柱部材の下端部に着脱自在に取り付けられ前記支柱部材を支える台座部材とをさらに有することを特徴とする眼鏡フレームの陳列具。
【発明の詳細な説明】
【技術分野】
【０００１】
本願発明は、眼鏡フレームを陳列する際に使用される眼鏡フレームの陳列具に関するものである。
【背景技術】
【０００２】
眼鏡フレームの陳列具としては、多数の眼鏡フレームを陳列するためのものと、単品若しくは少数の眼鏡フレームを陳列するためのものとが存在する。一般的に、前者は比較的に安価な眼鏡フレームの陳列に適し、後者は比較的に高価な高級眼鏡フレームの陳列に適していると考えられる。
【０００３】
単品若しくは少数の眼鏡フレームを陳列するための陳列具として、下記特許文献１に記載された陳列具が既に公知となっている。
【０００４】
この特許文献１に記載された眼鏡フレームの陳列具は、基台に金属製の線材からなる支柱を立設し、この支柱の先端に眼鏡フレームの蔓（テンプル）を挿入して係止する環状の係止部を形成した構造となっている。そして、眼鏡フレームの陳列の際には、眼鏡フレームの両方の蔓を環状の係止部に挿入し、係止部に蔓を係止させて眼鏡フレームを陳列するものである。
【先行技術文献】
【特許文献】
【０００５】
【特許文献１】特開２０００−２５３９７３号公報
【発明の概要】
【発明が解決しようとする課題】
【０００６】
しかしながら、特許文献１に記載された眼鏡フレームの陳列具の場合、眼鏡フレームを陳列する際、眼鏡フレームの両方の蔓の自由端（後端）を揃えて同時に上方から環状の係止部に挿入しなければならないばかりか、両方の蔓を交差させながら挿入を深めなければならず、陳列の作業が複雑で手間が掛るという問題があった。
【０００７】
また、蔓の部分だけを係止し、眼鏡フレームが空中に浮いた状態となるため安定感に欠け、高級な眼鏡フレームの陳列には適さないという問題があった。
本願発明が解決しようとするのは、先ずは、これらの問題点である。
そして、本願発明においては、さらに、眼鏡フレームの陳列具の持ち運びを容易にすることを目的としている。
【課題を解決するための手段】
【０００８】
上述の問題点に鑑み、本願請求項１に記載の発明は、眼鏡フレームをそのテンプルが左右に開かれた状態で下方から支持するフレーム支持部材を備え、フレーム支持部材は、平板で形成されると共に、眼鏡フレームのブリッジ部又は鼻当てパッド部を支持するブリッジ支持部及び左右に開かれたテンプルをそれぞれ支持する一対のテンプル支持部を有しており、ブリッジ支持部は一対のテンプル支持部の中間部から前方に突出した先細りの形状をしており、一対のテンプル支持部は互いの中間部から後方に向かって末広がりの後端縁を有することを主な特徴としている。
【０００９】
さらに、上述の目的を達成するため、本願請求項２に記載の発明は、フレーム支持部材と着脱自在に係合してフレーム支持部材を支える支柱部材と、支柱部材の下端部に着脱自在に取り付けられ支柱部材を支える台座部材とを有することを特徴としている。
【発明の効果】
【００１０】
本願請求項１に記載の発明は、下記（１）〜（５）に記述する効果を有する。
（１）  眼鏡フレームを下方から支持するだけなので、眼鏡フレームの陳列作業は、眼鏡フレームの左右のテンプルを開いた状態で陳列具の上方から陳列具の上に置くだけの非常に単純かつ簡単な作業となる。したがって、陳列作業の手間を最小限にとどめることができる。
【００１１】
（２）  眼鏡フレームのブリッジ部又は鼻当てパッド部及び左右のテンプルを下方から支持するので、高級な眼鏡フレームの陳列に適した安定感のある陳列が可能である。
【００１２】
（３）  ブリッジ支持部が前方に向かって先細りの形状を成しており、一対のテンプル支持部が中間部から後方に向かって末広がりの後端縁を有しているので、フレーム支持部材の形状は、必然的に超音速機に似た洗練された形状を成すこととなり、この洗練された形状が洗練されたデザインを有することの多い高級な眼鏡フレームの陳列に調和、適合する。
【００１３】
（４）  テンプルが折り畳まれた状態と異なり、左右のテンプルが開かれた状態で眼鏡フレームを支持するので、実際の使用状態に近い状態で陳列することが出来る。
（５）  眼鏡フレームをテンプルが開かれた状態で下方から支持して陳列するので、眼鏡フレームを覆い隠すことがない。従って、テンプルのデザインに特徴のある眼鏡フレームも含め、眼鏡フレームのデザイン的特徴をアピールする陳列に適している。
【００１４】
さらに、本願請求項２に記載の発明は、上記（１）〜（５）の効果に加え次の効果を有する。即ち、フレーム支持部材を支える支柱部材及び台座部材が共に着脱自在であるので、分解及び組立てが容易である。このため、陳列具を持ち運ぶ際には、陳列具を分解して嵩を小さくすることができるので、その持ち運びが容易である。
また、分解して保管することができるので、大きな保管スペースを必要としないという利点を有する。
【図面の簡単な説明】
【００１５】
【図１】図１は本願発明による眼鏡フレームの陳列具の一実施例を示した斜視図である。（実施例１）
【図２】図２は本願発明による眼鏡フレームの陳列具の一実施例を示した拡散分解図である。（実施例１）
【図３】図３は本願発明による眼鏡フレームの陳列具の支柱部材の変形例を示した拡大斜視図である。（実施例２）
【図４】図４は本願発明による眼鏡フレームの陳列具の支柱部材の変形例を示した部分拡大斜視図である。（実施例３）
【発明を実施するための形態】
【００１６】
以下、本願発明の実施例に基づき、本願発明の内容を詳細に説明する。
【実施例１】
【００１７】
図１は本願発明の実施例１を示した斜視図であり、図２は本願発明の実施例１を示した拡散分解斜視図である。これらの図に示したように、本願発明による眼鏡フレームの陳列具においては、眼鏡フレーム１を平板状のフレーム支持部材２によって下方から支持する。支持される眼鏡フレーム１は、左右のテンプル３が開かれた状態である。フレーム支持部材２は、眼鏡フレーム１のブリッジ部５または鼻当てパッド部６を支持するブリッジ支持部７及び左右に開かれた眼鏡フレーム１のテンプル３をそれぞれ支持する一対のテンプル支持部８を有している。
【００１８】
ブリッジ支持部７は、図示したように、一対のテンプル支持部８の中間部から前方に向かって突き出した先細り形状を成し、テンプル支持部８はそれらの中間部から後方に向かって末広がりの後端縁８ａを有した形状を成している。このため、取扱い時に手を切ることがないように極自然に輪郭を結ぶと、フレーム支持部材２は、必然的に超音速機を模した形状を成すことになる。
【００１９】
ブリッジ支持部７は、眼鏡フレーム１のブリッジ部５または鼻当てパッド部６と１〜２箇所の第一の接触点で下方から接触し、眼鏡フレーム１を支持する。テンプル支持部８は、眼鏡フレーム１のテンプル３と１〜２箇所の第二の接触点で下方から接触し、眼鏡フレーム１を支持する。
そして、平板で形成されるフレーム支持部材２は、第一及び第二の接触点を含む平面に沿って広がっている。
【００２０】
一対のテンプル支持部８は、その末広がりの後端縁８ａにてテンプル３を支持するが、テンプル３の略水平にかつほぼ真直に後方に延びている部分の後部、即ち、テンプル３の後端が下方に垂れ下がる形状のメガネフレームであっても垂れ下がった部分ではなく、垂れ下がった部分よりも少し前方の部分でテンプル３を支持する。また、そのような位置にテンプル支持部８の後端縁８ａが位置するようにフレーム支持部材２を形成する。
【００２１】
このようにすることにより、テンプル３後端の形状に左右されずに一定した姿勢で眼鏡フレーム１を支持し、陳列することが可能となる。
この実施例においては、フレーム支持部材２は、厚さ２ｍｍのアクリル板で形成されている。しかし、板厚や素材はこれに限定されるものではない。例えば、素材として、他種の樹脂板や木板、金属板を用いることが可能であり、板厚は素材の剛性・強度に応じて適宜選択することが可能である。
【００２２】
フレーム支持部材２は、図示したように、テンプル支持部８の中間部にて支柱部材１０により支えられる。支柱部材１０は、円筒状の材料の上部を９５度〜１００度の角度に折り曲げた形状となっている。折り曲げられた先端には、支柱部材１０の中心線に沿って水平に、フレーム支持部材２を嵌め込むためのスリット１０ａが形成されている。このスリット１０ａは、フレーム支持部材２の厚み寸法よりも僅かに大きい厚さ寸法で形成される。従って、支柱部材１０は、このスリット１０ａによってフレーム支持部材２と着脱自在に係合可能となっている。
【００２３】
上述したように、支柱部材１０の折り曲げ角度が９５度〜１００度の角度となっているので、支柱部材１０に支えられるフレーム支持部材２も、この角度で傾斜し、ブリッジ支持部７が上方を向くこととなる。このようにすることで、陳列中の眼鏡フレーム１のブリッジ部５がブリッジ支持部７上を前方へ滑り落ちることを防止できる。
【００２４】
この実施例においては、円筒状の材料として外径１０ｍｍ、厚さ１ｍｍ、長さ約３００ｍｍのアクリル製のパイプを用いている。スリット１０ａの奥行き寸法は約１０ｍｍとなっている。
この実施例では、円筒状の材料を用いて支柱部材１０を形成しているが、これに限らず、例えば、円柱状や角柱状の材料等、様々な断面形状の棒材を用いることが可能である。また、その素材もアクリルに限られず、例えば、他の樹脂や金属、木材(竹材を含む)を用いることが可能である。
【００２５】
支柱部材１０は、その下端部を台座部材１１によって支えられる。台座部材１１は、陳列具全体の安定を保つため、相応の底面積及び重量を持つことが好ましい。従って、この実施例においても、台座部材１１は、支柱部材１０よりも大径の円柱形のものとなっている。より具体的には、外径５０ｍｍ、高さ５０ｍｍの木製の円柱の中心部に支柱部材１０の下端部を差し込むための穴１１ａが形成されたものとなっている。穴１１ａの深さは約２５ｍｍで、その内径は支柱部材１０の外径よりも僅かに大きく形成され、支柱部材１０の下端部に着脱自在に取り付けられるようになっている。
【００２６】
台座部材１１についても、材質や形状等、適宜変更可能なことは、述べるまでもない。
なお、この実施例では、大径の円柱の中心に穴１１ａを形成しているが、穴１１ａの代りに支柱部材１０の下端部内側に嵌め込まれる突起を形成することとしても良い。
また、高さの異なる支柱部材１０を予め用意しておけば、支柱部材１０を差し替えることで陳列の高さを容易に換えることが可能である。
【００２７】
以上、説明したように、この実施例１においては、非常に身近な材料で簡単に眼鏡フレームの陳列具を製作可能であり、その製作コストも非常に低く抑えることが可能である。
【実施例２】
【００２８】
図３に、実施例１とは異なる本願発明の実施例２を示す。この実施例においては、図３に点線で示したように、支柱部材１０を枝分かれさせ、それぞれの先端にスリット１０ａが形成されている。それぞれのスリット１０ａには、フレーム支持部材２が着脱自在に取り付けられ、それぞれのフレーム支持部材２にそれぞれ眼鏡フレーム１を支持させることが可能である。さらに、支柱部材１０の枝分かれを２箇所形成し、それぞれの先端にスリット１０ａを形成すれば、一台の眼鏡フレームの陳列具で３本の眼鏡フレーム１を陳列することも可能である。
それ以外の構造は実施例１で説明した構造と同様であるので、その説明は省略する。
【実施例３】
【００２９】
図４に、実施例１及び２とは異なる本願発明の実施例３を示す。この実施例においては、図４に示したように、支柱部材の上部を屈曲させず、真直なままの支柱部材２０の側部に斜めにスリット２０ａを形成している。このスリット２０ａにはフレーム支持部材２が着脱自在に取り付けられ、フレーム支持部材２上に眼鏡フレーム１を陳列することが可能である。
【００３０】
スリット２０ａは、高さ及び方向を異ならせて複数形成することが可能であり、形成されたスリット２０ａの数だけ眼鏡フレーム１を陳列することができる。
なお、図１又は２に示した支柱部材１０の垂直部側面に、ここで説明しているスリットを形成して、フレーム支持部材２を取り付け、眼鏡フレームを陳列することとしてもよい。
それ以外の構造は実施例１で説明した構造と同様であるので、その説明は省略する。
実施例２又は３のように、複数のフレーム支持部材２を１本の支柱部材１０又は２０に取り付けた場合は、小さなスペースに複数の眼鏡フレームを陳列することができて好ましい。
【産業上の利用可能性】
【００３１】
本願発明による眼鏡フレームの陳列具は、眼鏡フレームの販売の際に利用可能なのは勿論、これを工業的に製造することが可能である。
【符号の説明】
【００３２】
１    眼鏡フレーム
２    フレーム支持部材
３    テンプル
５    ブリッジ部
６    鼻当てパッド部
７    ブリッジ支持部
８    テンプル支持部
８ａ    後端縁
１０    支柱部材
１０ａ    スリット
１１    台座部材
１１ａ    穴
２０    支柱部材
２０ａ    スリット
【図１】
2011130804.tif 000003
【図２】
2011130804.tif 000004
【図３】
2011130804.tif 000005
【図４】
2011130804.tif 000006